(57)【特許請求の範囲】
【請求項１】
筐体壁を有する筐体と、ケース及び湿気インジケータ材料を有する湿気検出センサとを含み、
前記ケースは、前記筐体壁を貫通するとともに前記筐体と結合し、前記ケースは複数の穿孔と一つの透光部を有し、前記透光部は前記筐体外に露出し、前記穿孔により前記筐体内部空間と前記ケース内部空間が連通し、
前記湿気インジケータ材料は、前記ケース内に位置し、前記湿気インジケータ材料の色は前記ケース内部の湿気の変化に伴って変化し、
前記湿気検出センサは、更に、吸湿材料及び仕切り板を含み、前記仕切り板は前記ケース内に設置され、前記ケース内部空間をそれぞれ独立した第１空間及び第２空間に分割し、
前記仕切り板は、上表面及び前記上表面に相対する下表面を有し、前記第１空間は前記第２空間の上方に位置し、前記穿孔はいずれも前記上表面より上に位置し、
前記筐体内部空間は、前記第２空間と連通せず、前記穿孔を介して前記第１空間と連通し、
前記湿気インジケータ材料及び前記吸湿材料は前記第１空間内に位置し、
前記吸湿材料は、水分を吸収した後、水溶液に変化することを特徴とする湿気検出装置。
【請求項２】
前記吸湿材料は塩化カルシウム無水物であることを特徴とする請求項１記載の湿気検出装置。
【請求項３】
前記湿気検出センサは更に前記第２空間に位置する吸水材料を含み、前記吸水材料は、コットン紙、吸水スポンジ、吸水発泡体、又はデンプン-アクリロニトリル共重合体であることを特徴とする請求項１記載の湿気検出装置。
【請求項４】
前記湿気インジケータ材料は塩化コバルト無水物又はオレンジシリコンであることを特徴とする請求項１記載の湿気検出装置。
【請求項５】
前記仕切り板は、貫通して複数の開孔が設けられ、各前記開孔は、前記上表面から前記下表面へ延伸し、前記水溶液は前記第１空間からこれら開孔を通過して流れ、前記第２空間内に収集され、且つ前記開孔のサイズは前記吸湿材料と前記湿気インジケータ材料のサイズよりも小さいことを特徴とする請求項１記載の湿気検出装置。
【請求項６】
前記第２空間に位置する吸水材料を含むことを特徴とする請求項１に記載の湿気検出装置。
【請求項７】
前記湿気検出センサは、更に、前記ケースと前記筐体壁との間に形成された間隙を密封するペースト剤を含むことを特徴とする請求項１記載の湿気検出装置。
【請求項８】
前記湿気検出センサは、更に、前記ケースと前記筐体壁との間に形成された間隙を密封するワッシャを含むことを特徴とする請求項１記載の湿気検出装置。
【請求項９】
前記筐体壁は、開口を有し、且つ前記ケースの外表面にねじ山を設けて、前記ケースを前記筐体壁にねじ結合させることを特徴とする請求項１記載の湿気検出装置。
【請求項１０】
前記湿気インジケータ材料は、塩化コバルト無水物であることを特徴とする請求項９記載の湿気検出装置。
【請求項１１】
前記ケースは、第１ケースと第２ケースを含み、前記第１ケースは前記穿孔及び開口端を有し、前記第２ケースは前記透光部を有し、
前記第２ケースは、更に、筒体及び板状体を有し、
前記筒体は、第１端部及び前記第１端部に相対する第２端部を有し、そのうち、前記第１端部は前記開口端に進入するとともに、前記筒体の外表面と前記第１ケースの内表面が相互に密設し、
前記板状体は、前記第２端部と結合し、且つ前記板状体は前記筐体外に位置することを特徴とする請求項１記載の湿気検出装置。
【請求項１２】
前記第１ケースと前記第２ケースは前記ケース内部空間である収容空間を囲むように設けられることを特徴とする請求項１記載の湿気検出装置。
【請求項１３】
前記第２ケースと前記第１ケースが分離できるように、前記第２ケースの前記筒体の外表面と前記第１ケースの内表面が相互に密設することを特徴とする請求項１記載の湿気検出装置。
【請求項１４】
前記第１端部は、閉塞端であり、且つ前記板状体はリング状板であり、前記リング状板は、前記筒体の外表面を囲むように設けられることを特徴とする請求項１１に記載の湿気検出装置。
【請求項１５】
前記筐体壁は、開口を有し、前記第１ケースは前記開口を介して前記筐体壁に嵌設され、且つ前記板状体は前記開口を遮蔽することを特徴とする請求項１１記載の湿気検出装置。
【請求項１６】
前記筐体は、電子モジュールを収容し、且つ前記第１ケースは第１コード孔を有し、前記第２ケースは第２コード孔を有し、前記電子モジュールのリード線を前記第１コード孔及び前記第２コード孔の順に通過させて前記筐体の外側へ延伸させることを特徴とする請求項１１、１２、１３、１４又は１５記載の湿気検出装置。
【請求項１７】
前記湿気検出センサは、更に、カバー部材を含み、前記カバー部材は、前記リード線と前記第２コード孔との間の間隙を密封することを特徴とする請求項１６記載の湿気検出装置。
【請求項１８】
前記カバー部材は、シーリング材及びシーリングリングのうち少なくとも一つを含むことを特徴とする請求項１７記載の湿気検出装置。
【発明の詳細な説明】
【技術分野】
【０００１】
本発明は、湿気検出装置に関し、特に、筐体内が乾燥状態に維持されているかを検出する湿気検出装置に関する。
【背景技術】
【０００２】
石油価格の高騰、環境保護意識の高まりに伴い、電池モジュールを動力源とする交通運輸車両が一般的な交通手段となることは、将来の趨勢となる。前述の交通運輸車両は、例えば、電動自転車、電動オートバイ、ハイブリッド自動車など電動輸送機器である。
【０００３】
しかし、湿度が高い地域では、交通運輸車両に応用された電池モジュールは、湿気の影響を受けやすく、電池モジュールの寿命が短くなる。特に、これら電動車両が運行中に、雨が降ったり、路面が積水すると、電池モジュールへ湿気が容易に浸入し、電池モジュールに非常に重大な損害が発生する恐れがある。
【０００４】
電子装置の使用寿命を延長し、又は電子装置の安全性を確保するために、多くの電子装置はいずれも乾燥状態を維持する作動環境が必要である。電池モジュールを例に挙げると、電池モジュールは通常筐体内に収容され、電池モジュールは、湿気が多い環境では、非常に危険であるので、電池モジュールの作動環境を確保するために、筐体内部の空間を乾燥状態に維持する必要がある。従って、電池モジュールを収容する筐体内部の湿気をモニタリングすることが好ましく、電池モジュールが湿気により破損する前に予め処置を行うことができる。
【０００５】
例えば、電子式湿気検出装置のような従来の湿気検出装置は、二つの櫛型回路が相互に交差して設けられる。電池モジュール内の湿気が一定程度に達すると、二つの櫛型回路は相互に導通して電子信号を生成し、電池モジュールの保護回路へ伝送して、電池モジュールの動作を中断させる。別の方法は、無線自動識別システム(RFID)などの無線通信モジュールを介して、信号をアラーム装置へ伝送してアラーム装置によりユーザに対し電池モジュールが湿気に晒されていることを知らせる。
【０００６】
しかし、上述の方法は、電子式方法でなければ、ユーザが電池モジュールを収容した筐体内が乾燥状態に保たれているか直観的に知ることができず、又上記方法を利用すると、電力を消費する。
【発明の概要】
【発明が解決しようとする課題】
【０００７】
本発明は湿気検出装置を提供し、それが設けられた湿気検出センサにより、ユーザは湿気検出装置内部が乾燥状態に維持されているか否かを直接知ることができる。
【課題を解決するための手段】
【０００８】
本発明の実施例は、湿気検出装置を提供し、湿気検出装置は、筐体、電子モジュール及び湿気検出センサを含む。筐体は、筐体壁を有し、電子モジュールは、筐体内に位置する。湿気検出センサは、ケース及び湿気インジケータ材料を含み、ケース内に湿度インジケータ材料を収容し、且つ湿度インジケータ材料の色はケース内部の湿度の増加に伴い変化する。ケースは筐体壁を貫通し、筐体と結合する。ケースは、複数の穿孔及び一つの透光部を有し、そのうち、透光部は筐体外に露出し、穿孔は筐体内部の空間とケース内部空間を連通させる。
【発明の効果】
【０００９】
本発明の湿気検出装置は湿気検出センサを有し、ユーザが湿気検出センサ内の湿気インジケータ材料の色を直接観測でき、湿気検出装置の内部空間が湿気を含んでいないか評価することができる。
【００１０】
本発明の達成するための技術、方法及び効果を更に理解するために、以下の本発明に関する詳細な説明、図面を参照すると、更に本発明の特徴が理解できる。これにより更に深く、具体的に理解できるが、添付した明細書及び図面は、本発明を説明するために用いるものであり、本発明に制限を加えるものではない。
【図面の簡単な説明】
【００１１】
【図１】本発明の実施例の湿気検出装置の断面図を示す。
【図２Ａ】本発明の実施例の湿気検出装置の立体分解図である。
【図２Ｂ】本発明の別の実施例の湿気検出装置の立体分解図である。
【図３】本発明の更に別の実施例の湿気検出装置の立体分解図である。
【発明を実施するための形態】
【００１２】
図１を参照すると、本発明の実施例の湿気検出装置の立体分解図である。湿気検出装置１は、筐体１０、電子モジュール２０及び湿気検出センサ３０を含む。電子モジュール２０は、筐体１０内に主要され、湿気検出センサ３０によりユーザが筐体１０内の湿度をモニタリングでき、電子モジュール３０が湿気を含んでいないか知ることができる。
＜実施例＞
【００１３】
具体的には、筐体１０は、筐体壁を有し、筐体壁上に筐体壁を貫通して形成された開口１００を有する。電子モジュール２０、例えば、電池モジュールを、筐体１０内に設置する。筐体１０が六面体である時、開口１００は前記筐体１０の任意の壁上に形成することができる。
【００１４】
湿気検出センサ３０は、筐体１０内に湿気が侵入しているか否かを検出することができる。本発明の実施例の湿気検出センサ３０はケース３１及び湿気インジケータ材料３２を含む。
【００１５】
湿気インジケータ材料３２は、ケース３１内に収容され、且つ湿気インジケータ材料３２の色は、湿度によって変化する。本実施例の湿気インジケータ材料３２は、例えば、塩化コバルト無水物又はオレンジシリコンなどである。塩化コバルト無水物は青色であり、塩化コバルト無水物が吸水による水和反応後、ピンク色の塩化コバルト六水和物(CoCl2．6H2O)となる。そして、オレンジシリコンは吸水後、緑色になる。
【００１６】
ケース３１は、筐体壁を貫通し、筐体１０と結合する。本実施例のケース３１は開口１００を通過して筐体１０内へ延伸し、筐体１０に組み立てられる。ケース３１は、複数の穿孔３１３及び一つの透光部を有する。透光部は筐体１０外に露出し、穿孔３１３は、筐体１０内部空間とケース３１内部空間を連通させる。実施例において、湿気検出センサ３０は、ペースト材（図示せず）をさらに含んでもよく、ケース３１と筐体壁との間に形成された間隙を密封する。
【００１７】
実施例において、ケース３１は、主に、第１ケース３１０及び第２ケース３２０を組み立ててなり、第１ケース３１０と第２ケース３２０は収容空間を囲むように設けられる。湿気インジケータ材料３２は、収容空間内に配置される。少なくとも一部の第１ケース３１０は、筐体１０内に位置し、少なくとも一部の第２ケース３２０は筐体１０の外側に露出する。特に、本実施例において、第２ケース３２０は、第１ケース３１０と相互に分離することができる。
【００１８】
この他、筐体１０内の第１ケース３１０は、ケース壁を貫通して形成される複数の穿孔３１３を有して、ケース３１の内部空間と筐体１０の内部空間を連通させる。穿孔３１３は、円孔又はスリット状溝であってもよい。本発明の実施例において、湿気インジケータ材料３２は、顆粒状を呈することができ、穿孔３１３が円孔である時、湿気インジケータ材料３２が穿孔３１３から筐体１０内に落脱することを防止するために、湿気インジケータ材料３２の粒径は穿孔３１３の孔径より大きくなければならない。同様の理由により、穿孔３１３がスリット状溝である時、湿気インジケータ材料３２の粒径はスリット状溝の幅より大きくなければならない。
【００１９】
本実施例において、第２ケース３２０は、前記透光部を含み、前記透光部は可視光を透過させて、ユーザが筐体１０の外側から湿気インジケータ材料３２の色の変化を観察でき、筐体１０内の湿度の変化を判定できることを指す。湿気インジケータ材料３２は、吸水により色が変化したとき、筐体１０内部の電子モジュール２０は既に湿気を受けていることを示し、ユーザに湿気を受けた電子モジュール２０に対し処置を行うことを知らせ、第２ケース３２０を取り外して、湿気インジケータ材料３２を取り出して交換するか又は、物理又は化学方式により還元処理を行う。前記物理方式は、例えば、湿気インジケータ材料を加熱する方法である。
【００２０】
本実施例において、第１ケース３１０は、第１コード孔３１４を有し、且つ第２ケース３２０は第２コード孔３２４を有して、電子モジュール２０のリード線２１を第１コード孔３１４及び第２コード孔３２４を順に通過して筐体１０の外側へ延伸する。電子モジュール２０が組電池である場合、リード線２１は実際は組電池の電圧コードである。そして電圧コードは第１コード孔３１３及び第２コード孔３２４を通過した後、負荷装置に接続して、負荷装置に給電する。
【００２１】
湿気検出センサ３０は更に、カバー部材３３を含んでもよい。前記カバー部材３３はシーリング材及び/またはシーリングリングを含んでもよい。カバー部材３３はリード線２１と第２コード孔３２４との間の間隙を密封して湿気が外界からケース３１内に進入して、湿気インジケータ材料３２の検出結果に影響を与えることを防止する。実施例において、カバー部材３３はシーリングリングである。前記リード線２１は、外界の湿気がケース３１の内部空間にできるだけ進入しないように、貫通して設けられ、シーリングリングと相互に密設する。又、第２ケース３２０の交換が必要な場合、リード線２１及びシーリングリングは、第２ケース３２０と相互に分離する。別の実施例において、カバー部材３３はシーリングリング以外にも、シーリング材を共に使用して、外界からの湿気を隔絶する効果がさらに向上できる。シーリング材は、熱硬化性樹脂、光硬化性樹脂又はエポキシ樹脂であってもよい。本発明の実施例の湿気検出センサについて詳細な構造を以下のように説明する。図１及び図２Ａを参照すると、図２Ａは、本発明実施例の湿気検出センサの立体分解図である。
【００２２】
第１ケース３１０は、第１板状体３１１及び第１筒体３１２を含むことができ、第１筒体３１２のうちの一端の開口は、第１板状体３１１に遮蔽されて閉合端３１２ａを形成し、第１筒体３１２のもう一端は、依然開口端３１２ｂである。前記穿孔３１３は、第１板状体３１１又は第１筒体３１２に形成することができる。前記閉合端３１２ａは開口１００を通過して筐体１０内に延伸して、第１ケース３１０の外表面を開口１００の外壁と結合させる。実施例において、第１板状体３１１は、弧形プレートであり、第１筒体３１２の端部を第１板状体３１１の周縁と接合する。別の実施例において、第１ケース３１０は、半球状ケースであってもよい。しかし、第１ケース３１０の形状はこれに制限されない。
【００２３】
実施例において、第１ケース３１０の外表面が開口１００の側壁と結合する場合、シーリングリング又はシーリング材により第１ケース３１０の外表面と開口１００の側壁との間に形成される間隙に充填することができる。別の実施例において、第１ケース３１０の外表面及び開口１００の側壁にはそれぞれおねじ及びめねじが設けられて、第１ケース３１０を筐体１０にねじ結合する。
【００２４】
本実施例の湿気検出センサ３０は、更に、ワッシャ３６を含み、湿気検出センサ３０及び筐体壁との間に形成される間隙を密封する。詳細には、ワッシャ３６は第１ケース３１０と開口１００の側壁との間に形成される間隙に位置する。
【００２５】
本実施例において、第２ケース３２０は第１ケース３１０に直接組み立てられ、組み立て方法は、ねじ結合手段又は係合手段によってもよい。その他の実施例において、第１ケース３１０と第２ケース３２０の間にその他の接続部材により組み合わせることができる。この他、第１ケース３１０と第２ケース３２０は一体形成であってもよい。この状況の下では、湿気インジケータ材料３２は、第１ケース３１０と第２ケース３２０内に密封される。従って、湿気インジケータ材料３２は、還元可能な材料を選択しなければならない。所謂還元可能材料とは、前記材料が吸水後、物理的または化学的な方法により吸水前の状態に還元できることを指し、例えば、塩化コバルト無水物である。
【００２６】
第２ケース３２０は、第２板状体３２１及び第２筒体３２２を含む。第２筒体３２２は第１端部３２２ａ及び第１端部３２２ａに相対する第２端部３２２ｂを有する。第２筒体３２２が第１筒体３１２に組み立てられる場合、第１端部３２２ａは第１筒体３１２の開口端３１２ｂに進入するとともに、第２筒体３２２の外表面と第１筒体３１２の内表面が相互に密設する。つまり、第２筒体３２２の外径は、第１筒体３１２の内径よりも小さく、第２筒体３２２を第１筒体３１２中に取り付けることができる。実施例において、第２筒体３２２の外側壁及び第１筒体３１２が近接する開口端３１２ｂの内側壁にはそれぞれねじ山が設けられ、第１筒体３１２と第２筒体３２２が相互にねじ結合が可能である。本実施例において、第２板状体３２１及び第２筒体３２２はいずれも透明ケースであり、第２板状体３２１及び第２筒体３２２の材質は、例えばアクリル又はプラスチックである。別の実施例において、第２板状体３２１だけが透明材質により構成される。
【００２７】
第２板状体３２１は、第２端部３２２ｂと結合し、閉塞端を形成する。つまり、第２板状体３２１は、第２筒体３２２を第２端部３２２ｂの開口において完全に密封して、ケース３１の内部空間を完全に外界から隔絶する。その他、第２板状体３２１は筐体１０の外側へ露出するとともに、筐体１０の開口１００を完全に遮蔽する。そして、第２板状体３２１と第２筒体３２２は一体成形であってもよい。ユーザが湿気インジケータ材料３２を交換する又は湿気インジケータ材料３２の還元処理を行う場合、筐体１０外から露出した第２板状体３２１に対し加力することにより、第２ケース３２０と第１ケース３１０が分離できる。例えば、第２板状体３２１を回転することにより、第２筒体３２２から第１筒体３１２を回転させて引き出し、第２ケース３２０を第１ケース３１０から取り外す。
【００２８】
本実施例において、第２板状体３２１は更に、第２板状体３２１の外側表面に形成された溝３２１ａを含む。ユーザは、溝３２１ａに硬貨又は適切な工具を挿入して回転させ、湿気検出センサ３０を筐体１０から取り外す又は、湿気検出センサ３０を筐体１０に取り付けることができる。
【００２９】
第２ケース３２０の外形は上記実施例に制限されない。図２Ｂを参照すると、本発明の湿気検出センサ３０の別の実施例の立体分解図である。本実施例の部材は図２Ａ中の部材とほぼ同一であるので、以下において、異なる部分について詳細に説明する。図２Ｂの実施例において、第２筒体３２２の第１端部３２２ａは閉塞端であり、且つ第２板状体３２１がリング状板であり、第２筒体３２２の外側表面を囲むように設けられ、且つ第２端部３２２ｂに隣接する。つまり、第２ケース３２０の外形は礼帽に類似し、第２板状体３２１は礼帽のつばに類似する。
【００３０】
図３は、本実施例の別の実施例の湿気検出センサの立体分解図である。各部材の設置が、前の実施例と同一の部分はここでは詳細に述べない。以下において、本実施例と前の実施例が異なる個所について説明を行う。本実施例の湿気検出センサ３０'は、更に仕切り板３４を含む。仕切り板３４は、ケース３１内に設置され、ケース３１内部空間をそれぞれ独立した第１空間３１ａ及び第２空間３１ｂに分離し、第２空間３１ｂは第１空間３１ａの下方に位置する。
【００３１】
詳細には、本実施例の湿気検出センサ３０'が、筐体１０の側壁に設置された場合、仕切り板３４は開口１００が位置する筐体壁表面にほぼ垂直である。つまり、前記状況の下、仕切り板３４は、第１板状体３２２の内表面、第２板状体３２１の内表面及び第１筒体３１２(又は第２筒体３２２)の内壁面に当接し、そして、収容空間を上下二つの部分に分割する。湿気検出センサ３０'が筐体１０の底面に設置される場合、仕切り板３４は筐体１０の底面とほぼ平行である。つまり、仕切り板３４は第１筒体３１２(又は第２筒体３２２)の内壁面に当接する。  
【００３２】
仕切り板３４は、上表面３４ａ及び上表面３４ａと相対する下表面３４ｂを有する。本実施例において、上表面３４ａは第１空間３１ａを囲むように設けられる壁面のうちの一つであり、下表面３４Ｂは、第２空間３１ｂを囲むように設けられる壁面のうちの一つである。且つ仕切り板３４は、複数の開孔３４０を有し、各開孔３４０は、上表面３４ａから下表面３４ｂへ延伸して第１空間３１ａと第２空間３１ｂをこれら開孔３４０を介して相互に連通する。
【００３３】
実施例において、湿気検出センサ３０'は、更に、吸湿材料３５を含み、吸湿材料３５と湿気インジケータ材料３２はいずれも第１空間３１ａ内に位置する。吸湿材料３５は、ユーザが電子モジュール２０を除湿する前に、先ず筐体１０内の一部の湿気を吸収する。本実施例において、吸湿材料３５は、塩化カルシウム無水物であり、塩化カルシウム無水物は湿気を吸収した後、水溶液に変化する。水溶液は第１空間３１ａからこれら開孔３４０を通過して流れ、第２空間３１ｂ内に収集される。開口３４０は円孔又は長形孔であってもよく、湿気インジケータ材料３２と吸湿材料３５のサイズは各開口３４０の最小孔径よりも大きい。例えば、湿気インジケータ材料３２と吸湿材料３５は、いずれも顆粒状を呈しており、且つ開孔３４０が円孔である。湿気インジケータ材料３２と吸湿材料３５の粒径は開孔３４０の孔径より大きい。同様に、開孔３４０が長形孔である場合、湿気インジケータ材料３２と吸湿材料３５の粒径は開孔３４０の幅よりも大きい。
【００３４】
本実施例において、第１ケース３１０が前記穿孔３１３を形成する場合、これら穿孔３１３はいずれも仕切り板３４の上表面３４ａより上に位置する。つまり、筐体１０内の空間は穿孔３１３を介して第１空間３１ａと連通するが、しかし筐体１０内の空間は第２空間３１ｂと連通しないので、第２空間３１ｂに収集された水溶液の筐体１０内への流入を防止できる。
【００３５】
本実施例において、湿気検出センサ３０'は、更に吸水材料３７を含み、吸水材料３７は、例えば、コットン紙、吸水スポンジ、吸水発泡体、デンプン-アクリロニトリル共重合体などである。吸水材料３７は、第２空間３１ｂに位置し、第１空間３１ａから第２空間３１ｂ内に流入する水溶液を吸収するので、湿気検出装置１が移動、振動又は回転した場合に、第２空間３１ｂの水溶液が第１空間３１ａに逆流し、更に穿孔３１３を通過して筐体１０内の空間に流れて、筐体１０内部空間が乾燥状態に維持されないことを防止する。
【００３６】
その他の実施例において、吸湿材料３５は、シリカゲル、粘土系乾燥剤、活性酸化アルミニウムなどのような乾燥剤であってもよい。前記吸湿材料３５は、吸水後、液状にならない。このような状況の下、前記吸湿材料は第１空間３１ａ又は第２空間３１ｂに設置でき、前記仕切り板３４を使用しなくてもよい。
【産業上の利用可能性】
【００３７】
以上より、本発明は非電子式で、低コスト、信頼性が高い湿気検出装置を提供し、且つ、筐体内が乾燥された動作環境にあるか否かを外側から直接知ることができる。本発明の実施例の湿気検出装置が使用する湿気検出センサは電力を使用する必要がない。即ち、ユーザは、湿気検出装置内部が湿気を受けているかを知ることができるので、簡便且つ容易に実施できるメリットを有する。本発明の実施例の湿気検出装置において、透明な第２ケースを筐体外側に設置することにより、ユーザは湿気インジケータ材料の色を直接観察することができ、湿気検出装置内部の湿気状況を評価できる。この他、本発明の別の実施例の湿気検出センサに吸湿材料を更に組み合わせることにより、湿気検出装置の初歩的な除湿ができる。
【００３８】
本発明を実施例により上記のように開示したが、本発明を限定するものではなく、如何なる当業者により、本発明の本質及び範囲を逸脱しなければ、変更及び装飾などの等価置換が行え、依然本発明の特許請求の範囲内である。
【符号の説明】
【００３９】
1  湿気検出装置
10  筐体
100  開口
20  電子モジュール
21  リード線
30、30'  湿気検出センサ
31  ケース
310  第１ケース
311  第１板状体
312  第１筒体
312a  閉合端
312b  開口端
313  穿孔
314  第１コード孔
320  第２ケース
321  第２板状体
321a  溝
322  第２筒体
322a  第１端部
322b  第２端部 
324  第２コード孔
32  湿気インジケータ材料
33  シーリング材
34  仕切り板
34a  上表面
34b  下表面
340  開孔
31a  第１空間
31b  第２空間
35  吸湿材料
36  ワッシャ
37  吸水材料
【図１】
0005871998.tif 000002
【図２Ａ】
0005871998.tif 000003
【図２Ｂ】
0005871998.tif 000004
【図３】
0005871998.tif 000005